(57)【要約】  本発明は、タッチパッドを備えたタッチパッド配置構造に関し、該タッチパッドは、感応性の操作表面（９）を備えていて、かつガイド機構によって、傾倒せずにガイドされ、運動方向で、持ち上げられた静止位置と降下した降下位置との間で可動である。タッチパッド（８）の、互いに反対側に位置する少なくとも２つの側面部分に、レバー機構がそれぞれ配置されており、該レバー機構は、ほぼ長手方向で相互に接近して延びる２つのレバー（１１）を有しており、該レバー（１１）は、長手延伸方向の中央で、タッチパッド（８）の運動方向（１２）に対して横向きに延びる軸線（１３）を有する定位置のジョイントを中心に旋回可能に支承されている。この場合レバー（１１）は、互いに離間する側に位置する端部で、タッチパッド（８）または該タッチパッド（８）を支持するタッチパッド支持体（７）から、タッチパッド（８）の運動方向（１２）に負荷を掛けられるようになっていて、かつ互いに向き合う側の端部で、フレキシブルな結合部によって相互に結合されている。
2010527082.tif 000002
【特許請求の範囲】
【請求項１】
タッチパッドを備えたタッチパッド配置構造であって、
該タッチパッドは、感応性の操作表面を備えていて、かつガイド機構によって、傾倒せずにガイドされ、運動方向で、持ち上げられた静止位置と降下した降下位置との間で可動である、タッチパッド配置構造において、
タッチパッド（８）の、互いに反対側に位置する少なくとも２つの側面部分に、レバー機構がそれぞれ配置されており、該レバー機構は、ほぼ長手方向で相互に接近して延びる２つのレバー（１１，１１’，１１’’，１１’’’）を有しており、該レバー（１１，１１’，１１’’，１１’’’）は、長手延伸方向の中央で、タッチパッド（８）の運動方向（１２）に対して横向きに延びる軸線（１３）を有する定位置のジョイントを中心に旋回可能に支承されており、レバー（１１，１１’，１１’’，１１’’’）は、互いに離間する側に位置する端部で、タッチパッド（８）または該タッチパッド（８）を支持するタッチパッド支持体（７）から、タッチパッド（８）の運動方向（１２）に負荷を掛けられるようになっていて、かつ互いに向き合う側の端部で、フレキシブルな結合部によって相互に結合されていることを特徴とする、タッチパッド配置構造。
【請求項２】
定位置のジョイントは、定位置に配置されたジョイントピンを備えており、該ジョイントピンに、レバー（１１，１１’）が、旋回可能に支承されている、請求項１記載のタッチパッド配置構造。
【請求項３】
レバー（１１，１１’）は、ジョイント孔を備えており、該ジョイント孔によって、レバー（１１，１１’）は、ジョイントピンに旋回可能に支承されている、請求項２記載のタッチパッド配置構造。
【請求項４】
定位置のジョイントは、弾性的な結合ウェブ（２０）であり、該弾性的な結合ウェブ（２０）の一方の端部が、定位置に配置されていて、弾性的な結合ウェブ（２０）の他方の端部が、レバー（１１’，１１’’，１１’’’）と結合されている、請求項１記載のタッチパッド配置構造。
【請求項５】
フレキシブルに相互に結合された２つのレバー（１１’）の弾性的な結合ウェブ（２０）の、定位置に配置された端部は、定位置に配置された共通のベースエレメント（２１）と結合されている、請求項４記載のタッチパッド配置構造。
【請求項６】
レバー（１１’，１１’’，１１’’’）の、互いに向き合う側の端部に設けられたフレキシブルな結合部は、第２の弾性的な結合ウェブ（２２）である、請求項１から５までのいずれか１項記載のタッチパッド配置構造。
【請求項７】
レバー（１１’，１１’’，１１’’’）の、互いに向き合う側の端部は、運動方向（１２）に互いに変位して配置されており、第２の弾性的な結合ウェブ（２２）は、大体において運動方向（１２）に延在して形成されている、請求項６記載のタッチパッド配置構造。
【請求項８】
レバー（１１）の、互いに向き合う側の端部のフレキシブルな結合部は、レバー（１１）の端面で、運動方向（１２）に従った平面上を延在する歯車区分（１４）によって形成されており、該歯車区分（１４）の歯は、互いに噛み合う、請求項１から５までのいずれか１項記載のタッチパッド配置構造。
【請求項９】
レバー（１１、１１’）は、互いに離間する側の端部で、タッチパッドまたは該タッチパッドを支持するタッチパッド支持体に、タッチパッドの運動方向に対して横向きに延びる旋回軸線を中心に旋回可能に枢支されている、請求項１から８までのいずれか１項記載のタッチパッド配置構造。
【請求項１０】
レバー（１１）の、互いに離間する側の端部は、長手延伸方向に延在する長孔（１５）を備えており、該長孔（１５）に、タッチパッドまたはタッチパッド支持体の、運動方向（１２）に対して横向きに延びるジョイントピンが突入している、請求項９記載のタッチパッド配置構造。
【請求項１１】
レバー（１１，１１’）の、互いに離間する側の端部は、第３の弾性的な結合ウェブ（２３）を介して、タッチパッドまたはタッチパッド支持体と結合されている、請求項１から８までのいずれか１項記載のタッチパッド配置構造。
【請求項１２】
第３の弾性的な結合ウェブ（２３）の、レバー（１１，１１’，１１’’）とは反対側の端部は、運動方向（１２）に対して横向きに延びるジョイント孔を備えており、該ジョイント孔に、タッチパッドまたはタッチパッド支持体の、運動方向（１２）に対して横向きに延在する軸ピンが突入している、請求項１１記載のタッチパッド配置構造。
【請求項１３】
第３の弾性的な結合ウェブ（２３）の、レバー（１１，１１’，１１’’）とは反対側の端部は、結合アーム（２４）を介して相互に結合されており、該結合アーム（２４）は、タッチパッドまたはタッチパッド支持体に配置されている、請求項１１記載のタッチパッド配置構造。
【請求項１４】
タッチパッドまたはタッチパッド支持体は、レバー（１１’’’）の、互いに離間する側の端部に載設している、請求項１から８までのいずれか１項記載のタッチパッド配置構造。
【請求項１５】
第２の弾性的な結合ウェブ（２２）によって互いに向き合う側の両端部で相互に結合されたレバー（１１，１１’，１１’’，１１’’’）、および／または弾性的な結合ウェブ（２０）として形成された定位置のジョイント、および／またはベースエレメント（２１）、および／またはレバー（１１’，１１’’，１１’’’）の、互いに離間する側の端部に設けられた第３の弾性的な結合ウェブ（２３）、および／または結合アーム（２４）が、一体的な構成部材として、弾性材料から形成されている、請求項４、５、６、７、１１、１２、１３または１４記載のタッチパッド配置構造。
【請求項１６】
一体的な構成部材が、金属材料から成る打抜き加工部分である、請求項１５記載のタッチパッド配置構造。
【請求項１７】
タッチパッド（８）は、矩形の周囲輪郭を有している、請求項１から１６までのいずれか１項記載のタッチパッド配置構造。
【請求項１８】
レバー（１１，１１’，１１’’，１１’’’）は、互いに離間する側の端部で、タッチパッド支持体（７）の、周に沿って延びる側縁部に枢支されている、請求項１から１７までのいずれか１項記載のタッチパッド配置構造。
【請求項１９】
タッチパッド（８）は、光透過性に形成されていて、かつ単数または複数の光源からの光を透過するようになっている、請求項１から１８までのいずれか１項記載のタッチパッド配置構造。
【請求項２０】
光源は、タッチパッド（８）の、感応性の操作表面（９）とは反対側に配置されている、請求項１９記載のタッチパッド配置構造。
【請求項２１】
タッチパッド（８）またはタッチパッド支持体の、感応性の操作表面（９）とは反対側に、光源を支持するプリント基板（５）が配置されている、請求項２０記載のタッチパッド配置構造。
【請求項２２】
タッチパッド（８）またはタッチパッド支持体は、特に電動モータ式の駆動装置によって、静止位置と降下位置との間で運動可能に駆動されるようになっている、請求項１から２１までのいずれか１項記載のタッチパッド配置構造。
【請求項２３】
前記駆動装置は、スピンドル駆動装置（４）であり、該スピンドル駆動装置（４）の、ねじ山を備えた駆動スピンドル（３）が、運動方向（１２）に延在していて、かつタッチパッドまたはタッチパッド支持体と固く結合されたスピンドルナットに係合するようになっている、請求項２２記載のタッチパッド配置構造。
【請求項２４】
スピンドルナットは、タッチパッドまたはタッチパッド支持体（７）と結合された支持体（１）に形成されている、請求項２３記載のタッチパッド配置構造。
【発明の詳細な説明】
【技術分野】
【０００１】
本発明は、タッチパッドを備えたタッチパッド配置構造に関し、タッチパッドは、感応性の操作表面を備えていて、かつガイド機構によって、傾倒せずにガイドされ、運動方向で、上昇した静止位置と降下した降下位置との間で可動である。
【０００２】
このようなタッチパッド配置構造では、利用者の操作中に、感応性の操作表面の約０．５ｍｍ〜１ｍｍの降下が行われ、この場合操作表面は、大体において操作方向に対して垂直の方向付けを維持するよう所望される。大面積のタッチパッドでは、タッチパッドの縁範囲で操作すると、大きな傾倒モーメントが生じ、傾倒モーメントによって、タッチパッドは傾倒する。
【０００３】
このことを回避するために、タッチパッドを鋏伝動装置（Scherengetriebe；シザーズギヤ）に取り付けることが公知である。縁範囲でタッチパッドを操作すると、鋏伝動装置によって、反対側に位置する縁範囲が運動方向に連動される。力伝達は、鋏伝動装置の湾曲部材によって行われ、この場合力は、曲げ負荷による方向に伝達され、かつ曲げ負荷による方向に対して垂直の、ねじり負荷による方向に伝達される。
【０００４】
鋏伝動装置をタッチパッドの下方に配置しないよう所望される場合、鋏伝動装置の寸法設定は、タッチパッドの寸法設置およびサイズに調整する必要がある。
【０００５】
したがって本発明の課題は、冒頭で述べたようなタッチパッド配置構造を改良して、様々なサイズのタッチパッドで使用可能で、かつ簡単な構造を有するものを提供することである。
【０００６】
この課題を解決するために、本発明によれば、タッチパッドの、互いに反対側に位置する少なくとも２つの側面部分に、レバー機構がそれぞれ配置されており、レバー機構は、ほぼ長手方向で相互に接近して延びる２つのレバーを有しており、レバーは、長手延伸方向の中央で、タッチパッドの運動方向に対して横向きに延びる軸線を有する定位置のジョイントを中心に旋回可能に支承されており、レバーは、互いに離間する側に位置する端部で、タッチパッドまたはタッチパッドを支持するタッチパッド支持体から、タッチパッドの運動方向に負荷を掛けられるようになっていて、かつ互いに向き合う側の端部で、フレキシブルな結合部によって相互に結合されている。
【０００７】
個々のレバー機構は、簡単に形成し、省スペースに配置することができ、この場合異なるサイズのタッチパッドにおいて同じレバー機構を使用することができる。
【０００８】
レバーの負荷は常に曲げ負荷で行われるので、本願発明による金属薄板部分の構成によって、所望の高い安定性が得られる。
【０００９】
定位置のジョイントの簡単な形態によれば、定位置のジョイントは、定位置に配置されたジョイントピンを備えており、ジョイントピンに、レバーが旋回可能に支承されている。
【００１０】
レバーは、ジョイント孔を備えており、ジョイント孔によって、レバーは、ジョイントピンに旋回可能に支承されている。
【００１１】
定位置のジョイントの特に構成部材の僅かな構成によれば、定位置のジョイントは、弾性的な結合ウェブであり、弾性的な結合ウェブの一方の端部が、定位置に配置されていて、弾性的な結合ウェブの他方の端部が、レバーと結合されている。
【００１２】
この場合フレキシブルに相互に結合された２つのレバーの弾性的な結合ウェブの、定位置に配置された端部は、定位置に配置された共通のベースエレメントと結合されている。
【００１３】
これによって両方のレバーの固定は、単個の構成部材を介して行うことができる。
【００１４】
レバーの、互いに向き合う側の端部に設けられたフレキシブルな結合部が第２の弾性的な結合ウェブである場合にも、構成部材の僅かな構成が得られる。有利には、レバーの、互いに向き合う側の端部は、運動方向に互いに変位して配置されており、第２の弾性的な結合ウェブは、大体において運動方向に延在して形成されている。
【００１５】
レバーの、互いに向き合う側の端部のフレキシブルな結合部の別の形態によれば、レバーの、互いに向き合う側の端部のフレキシブルな結合部が、レバーの端面で、運動方向に従った平面上を延在する歯車区分によって形成されており、歯車区分の歯は、互いに噛み合う。
【００１６】
レバーが、互いに離間する側の端部で、タッチパッドまたはタッチパッドを支持するタッチパッド支持体に、タッチパッドの運動方向に対して横向きに延びる旋回軸線を中心に旋回可能に枢支されていると、タッチパッドによるレバーの負荷は、このような枢支を介して行われる。
【００１７】
１形態によれば、レバーの、互いに離間する側の端部は、長手延伸方向に延在する長孔を備えており、長孔に、タッチパッドまたはタッチパッド支持体の、運動方向に対して横向きに延びるジョイントピンが突入しており、この場合長孔は、ジョイントピンとレバーの端部との間の必要な相対運動を実現する。
【００１８】
構成部材の僅かな別の形態によれば、レバーの、互いに離間する側の端部は、第３の弾性的な結合ウェブを介して、タッチパッドまたはタッチパッド支持体と結合されている。
【００１９】
この場合第３の弾性的な結合ウェブの、レバーとは反対側の端部は、運動方向に対して横向きに延びるジョイント孔を備えており、ジョイント孔に、タッチパッドまたはタッチパッド支持体の、運動方向に対して横向きに延在する軸ピンが突入している。
【００２０】
さらにまた、第３の弾性的な結合ウェブの、レバーとは反対側の端部は、結合アームを介して相互に結合されており、結合アームは、タッチパッドまたはタッチパッド支持体に配置されている。
【００２１】
タッチパッドによって、レバーの、互いに離間する側の端部に荷重を掛ける別の形態によれば、タッチパッドまたはタッチパッド支持体は、レバーの、互いに離間する側の端部に載設している。
【００２２】
レバー機構の特に構成部材を節減する形態によれば、第２の弾性的な結合ウェブによって互いに向き合う側の両端部で相互に結合されたレバー、および／または弾性的な結合ウェブとして形成された定位置のジョイント、および／またはベースエレメント、および／またはレバーの、互いに離間する側の端部に設けられた第３の弾性的な結合ウェブ、および／または結合アームが、一体的な構成部材として、弾性材料から形成されている。
【００２３】
この場合一体的な構成部材は、金属材料から成る打抜き加工部分である。
【００２４】
さらにまた一体的な構成部材は、プラスチックから成っていて、特にプラスチック射出成形部分から成っている。
【００２５】
有利には、タッチパッドは、矩形の周囲輪郭を有している。
【００２６】
この場合、レバー機構は、タッチパッドの、互いに反対側に位置する２つの縁部に、または追加的にタッチパッドの第３の縁部に配置することができる。
【００２７】
特に良好なガイド特性は、タッチパッドの各縁部にレバー機構が配置されている場合に得られる。
【００２８】
タッチパッド配置構造の、特に僅かな構成高さは、レバーが、互いに離間する側の端部で、タッチパッド支持体の、周に沿って延びる側縁部に枢支されている場合に得られる。
【００２９】
タッチパッドは、光透過性に形成されていて、かつ単数または複数の光源からの光を透過するようになっており、この場合、光源は、タッチパッドの、感応性の操作表面とは反対側に配置されている。
【００３０】
このために有利には、タッチパッドまたはタッチパッド支持体の、感応性の操作表面とは反対側に、光源を支持するプリント基板が配置されている。
【００３１】
タッチパッドまたはタッチパッド支持体が、特に電動モータ式の駆動装置によって、静止位置と降下位置との間で運動可能に駆動されるようになっている場合、操作表面が接触されると、タッチパッドは、降下した降下位置に移動される。タッチパッドを操作したあとで、タッチパッドは、再び静止位置に戻される。
【００３２】
簡単な形態によれば、駆動装置が、スピンドル駆動装置であり、スピンドル駆動装置の、ねじ山を備えた駆動スピンドルは、運動方向に延在していて、かつタッチパッドまたはタッチパッド支持体と固く結合されたスピンドルナットに係合するようになっており、この場合、スピンドルナットは、タッチパッドまたはタッチパッド支持体と結合された支持体に形成されている。
【００３３】
もちろん駆動装置の適切な別の形態も実現可能である。
【００３４】
本発明の実施の形態を図示して、以下に詳しく説明する。
【図面の簡単な説明】
【００３５】
【図１】タッチパッド配置構造を示す斜視図である。
【図２】図１に示したタッチパッド配置構造のレバー機構を示す斜視図である。
【図３】タッチパッドハウジングと共に、図１に示したタッチパッド配置構造を示す展開斜視図である。
【図４】タッチパッドハウジングに組み込まれたタッチパッド配置構造を示す斜視図である。
【図５】レバー機構のレバーの第２形態を示す図である。
【図６】レバー機構のレバーの第３形態を示す図である。
【図７】レバー機構のレバーの第４形態を示す図である。
【００３６】
図１〜図４に示したタッチパッド配置構造は、中心の孔２を備えた、プレート状の支持体１を有しており、孔２を通って、可逆式に駆動可能な電動モータ式のスピンドル駆動装置４の、ねじ山を備えた駆動スピンドル３が延びている。スピンドル駆動装置４は、支持体１の下面に固定して配置されているので、駆動スピンドル３の回動によって、支持体１の上方に配置された構成部材ユニットは、昇降可能である。
【００３７】
支持エレメント１の上面に、プリント基板５が配置されており、プリント基板５は、図示していない複数の光源を支持しており、プリント基板５からフレキシブルな導体６が延びている。プリント基板５上に、さらにプレート状のタッチパッド支持体７が配置されており、タッチパッド支持体７上に、感応性の操作表面９を有するタッチパッド８が配置されている。タッチパッド８から、フレキシブルな第２の導体１７が延びている。
【００３８】
タッチパッド８、タッチパッド支持体７およびプリント基板５は、同じ矩形の周囲輪郭を有しており、これに対して矩形の支持体１は、全面でこの周囲輪郭から突出している。
【００３９】
支持体１の３つの縁領域には、それぞれレバー機構が配置されており、レバー機構は、支持体１に取り付けられたホルダ１０と、同じ長さのレバー１１の対偶とから成っている。
【００４０】
両レバー１１は、長手方向で相互に接近するように延びていて、それぞれ長手延伸部分の中央で、タッチパッド８の運動方向１２に対して横向きに延びる軸線１３を中心に、ホルダ１０に旋回可能に支承されている。
【００４１】
互いに向き合う側の端部の端面で、レバー１１は、歯車区分１４を備えており、歯車区分１４の歯は、相互に噛み合うので、一方のレバー１１の旋回運動は、他方のレバーに伝達される。
【００４２】
レバー１１の、互いに離間する側の端部の端部領域には、レバー１１の長手延伸方向に延びる長孔１５が形成されており、長孔１５に、図示していないジョイントピンが突入し、ジョイントピンは、タッチパッド支持体７の側面１６に配置されている。
【００４３】
タッチパッド配置構造全体は、タッチパッドハウジング１８内に配置されており、タッチパッドハウジング１８は、操作表面９を露出する窓１９を備えている。
【００４４】
使用者による操作表面９の接触および特定の操作が検出され、これによってスピンドル駆動装置４のための操作信号が形成され、操作信号は、プリント基板５とタッチパッド支持体７とタッチパッド８から成るユニットを、持ち上げられた静止位置から、約０．５ｍｍだけ下方に降下した降下位置に移動させる。
【００４５】
この動作が終了すると、スピンドル駆動装置４は、上述したユニットを、再び静止位置に戻す。
【００４６】
レバー機構は、タッチパッドの、中央部分または非中央部分の負荷とは無関係に、常に傾倒せずに運動方向に運動するよう働く。
【００４７】
図５に示したレバー１１’は、長手延伸部分の中央で、弾性的な結合ウェブ２０によって、支持体１に定位置に配置可能な共通のベースエレメント２１と結合されている。
【００４８】
さらにレバー１１’の、互いに向き合う側の端部は、第２の弾性的な結合ウェブ２２によって、相互に結合されており、この場合レバー１１’の、互いに向き合う側の端部は、運動方向１２に相互にずらして配置されており、第２の結合ウェブ２２は、ほぼ運動方向に延びている。
【００４９】
レバー１１’の、互いに離間する側の端部は、ほぼ運動方向１２に延びる第３の弾性的な結合ウェブ２３を介して、共通の結合アーム２４と結合されており、結合アーム２４は、レバー１１’に対してほぼ平行に延びていて、タッチパッド支持体７に取付可能である。
【００５０】
図６に示した形態は、大体において図５に示した形態に相当する。
【００５１】
その違いによれば、共通のベースエレメント２１が設けられておらず、各レバー１１’’に、独自のベースエレメント２１’が対応して配置されている。
【００５２】
さらに第３の結合ウェブ２３は、共通の結合アーム２４によって相互に結合されているのではなく、ジョイント孔２５を備えており、ジョイント孔２５に、タッチパッド支持体７の、運動方向１２に対して横向きに延びる図示していない軸ピンが突入する。
【００５３】
図７に示した形態では、図５に対応するレバー１１’’’が、結合ウェブ２０によって相互に結合されている。
【００５４】
レバー１１’’’は、図２に示したように、軸線１３を中心に旋回可能にホルダ１０に支承可能である。
【００５５】
互いに離間する側の端部に、タッチパッド８に向いた載設突出部２６が形成されており、載設突出部２６に、プリント基板５とタッチパッド支持体７とタッチパッド８とから成るユニットが自由に載設可能である。
【図１】
2010527082.tif 000003
【図２】
2010527082.tif 000004
【図３】
2010527082.tif 000005
【図４】
2010527082.tif 000006
【図５】
2010527082.tif 000007
【図６】
2010527082.tif 000008
【図７】
2010527082.tif 000009
【国際調査報告】
2010527082.tif 000010
2010527082.tif 000011
2010527082.tif 000012
2010527082.tif 000013
2010527082.tif 000014
2010527082.tif 000015